(57)【要約】      （修正有）【課題】種々の形状の捕虫器に適用できる捕虫用の照明を提供する。【解決手段】ＬＥＤ照明装置５０は、虫を誘引する光を発するＬＥＤ素子６５，６６を有する複数のＬＥＤ基板６０と、複数のＬＥＤ基板６０を保持する保持体５１と、を備え、保持体５１は、少なくとも２枚のＬＥＤ基板６０の板面がハの字状に並ぶように複数のＬＥＤ基板６０を保持可能に構成される。保持体５１は、三角柱状の金属によって構成される。【選択図】図６
2020074721.tif 000002
【特許請求の範囲】
【請求項１】
虫を誘引する光を発するＬＥＤ素子を有する複数のＬＥＤ基板と、
前記複数のＬＥＤ基板を保持する保持体と、
を備え、
前記保持体は、少なくとも２枚の前記ＬＥＤ基板の板面がハの字状に並ぶように複数の前記ＬＥＤ基板を保持可能に構成される捕虫用のＬＥＤ照明装置。
【請求項２】
前記保持体は、三角柱状の金属によって構成される請求項１に記載の捕虫用のＬＥＤ照明装置。
【請求項３】
前記保持体の長手方向一側に配置され、電気ソケットに接続される電気接続部と、
前記保持体の長手方向他側に配置され、保持ソケットに接続される保持接続部と、
を備える請求項１又は２に記載の捕虫用のＬＥＤ照明装置。
【請求項４】
前記保持体は、少なくとも３枚の前記ＬＥＤ基板の板面が略三角形状を形成するように、複数のＬＥＤ基板を保持可能に構成される請求項１から３の何れかに記載の捕虫用のＬＥＤ照明装置。
【請求項５】
請求項１から４の何れかに記載のＬＥＤ照明装置と、
前記ＬＥＤ照明装置を収容するケースと、
前記ケースに配置され、前記ＬＥＤ照明装置に対向する捕虫シートと、
を備える捕虫器。
【請求項６】
前記ケースに配置され、誘引剤、芳香剤又はその両方を収容可能な誘引剤収容部を更に備える請求項５に記載の捕虫器。
【発明の詳細な説明】
【技術分野】
【０００１】
本発明は、捕虫用のＬＥＤ照明装置に関する。
【背景技術】
【０００２】
従来、虫を誘引する光を発する光源を用いた捕虫器が知られている。この種の技術を開示するものとして例えば特許文献１がある。
【０００３】
特許文献１には、虫誘引装置において、筒状部と、現場の設置面に沿って設置され、前記筒状部の一端と対向したリアパネルと、前記リアパネルに間隔をあけて取り付けられ、前記筒状部の他端と対向したフロントパネルと、前記筒状部の外面に配置され、当該外面から周囲に向かって虫を誘引する光を発する面状又は複数の点状の光源と、前記筒状部の一端と、前記リアパネルの表面との間の隙間を介して、前記リアパネルの表面に取り付けられる交換可能な捕虫シートを保持するために、前記リアパネルに設けられた爪状のシート保持部と、を有する構成が記載されている。
【先行技術文献】
【特許文献】
【０００４】
【特許文献１】特許第６３７２９０７号公報
【発明の概要】
【発明が解決しようとする課題】
【０００５】
虫を誘引する光を照射する光源にＬＥＤ素子を用いる場合、ＬＥＤ素子の指向性を考慮する必要がある。照射範囲を確保するためには、ＬＥＤ素子をマトリクス状に配置することも考えられるが、誘引光を照射するための構成が複雑化、大型化してしまう。捕虫器のケースは、配置場所や捕獲対象の虫等によってその形状が異なるため、ＬＥＤ素子を用いた光源はシンプルな構成であることが好ましい。従来技術には、ＬＥＤ素子を光源として用いた場合の照射範囲及び種々の形状の捕虫器への適応性という点で改善の余地があった。
【０００６】
本発明は、照射範囲を確保しつつ種々の形状の捕虫器に適用できる捕虫用のＬＥＤ照明装置を提供することを目的とする。
【課題を解決するための手段】
【０００７】
本発明は、虫を誘引する光を発するＬＥＤ素子を有する複数のＬＥＤ基板と、前記複数のＬＥＤ基板を保持する保持体と、を備え、前記保持体は、少なくとも２枚の前記ＬＥＤ基板の板面がハの字状に並ぶように複数の前記ＬＥＤ基板を保持可能に構成される捕虫用のＬＥＤ照明装置に関する。
【０００８】
前記保持体は、三角柱状の金属によって構成されることが好ましい。
【０００９】
前記ＬＥＤ照明装置は、前記保持体の長手方向一側に配置され、電気ソケットに接続される電気接続部と、前記保持体の長手方向他側に配置され、保持ソケットに接続される保持接続部と、を備えることが好ましい。
【００１０】
前記保持体は、少なくとも３枚の前記ＬＥＤ基板の板面が略三角形状を形成するように、複数のＬＥＤ基板を保持可能に構成されることが好ましい。
【００１１】
また、本発明は、前記ＬＥＤ照明装置を収容するケースと、前記ケースに配置され、前記ＬＥＤ照明装置に対向する捕虫シートと、を備える捕虫器に関する。
【００１２】
前記捕虫器は、前記ケースに配置され、誘引剤、芳香剤又はその両方を収容可能な誘引剤収容部を更に備えることが好ましい。
【発明の効果】
【００１３】
本発明の捕虫用のＬＥＤ照明装置によれば、照射範囲を確保しつつ種々の形状の捕虫器に適用できる。
【図面の簡単な説明】
【００１４】
【図１】本発明の一実施形態に係る捕虫用のＬＥＤ照明装置が適用されるＬＥＤ照明ユニットを示す斜視図である。
【図２】本実施形態のＬＥＤ照明ユニットの分解斜視図である。
【図３】本実施形態のＬＥＤ照明ユニットの正面図である。
【図４】本実施形態のＬＥＤ照明ユニットの平面図である。
【図５】本実施形態のＬＥＤ照明ユニットの底面図である。
【図６】図３のＡ−Ａ線断面図である。
【図７】本実施形態のＬＥＤ照明装置の斜視図である。
【図８】第２の実施形態のＬＥＤ照明装置が適用されるＬＥＤ照明ユニットの平面図である。
【図９】第２の実施形態のＬＥＤ照明ユニットの分解斜視図である。
【図１０】本発明の一実施形態に係る捕虫器の斜視図である。
【図１１】本実施形態の捕虫器の分解斜視図である。
【図１２】本実施形態の捕虫器の平面図である。
【図１３】本実施形態の捕虫器の正面図である。
【図１４】図１３のＢ−Ｂ線断面図である。
【発明を実施するための形態】
【００１５】
以下、本発明の好ましい実施形態について、図面を参照しながら説明する。図１は、本発明の一実施形態に係る捕虫用のＬＥＤ照明装置５０が適用されるＬＥＤ照明ユニット１を示す斜視図である。図２は、本実施形態（第１の実施形態）のＬＥＤ照明ユニット１の分解斜視図である。図３は本実施形態のＬＥＤ照明ユニット１の正面図であり、図４はＬＥＤ照明ユニット１の平面図であり、図５は本実施形態のＬＥＤ照明ユニット１の底面図である。図６は、図３のＡ−Ａ線断面図である。
【００１６】
図１に示すように、ＬＥＤ照明ユニット１は、固定台座２と、電源側カバー３と、ダミー側カバー４と、スイッチ部６と、ケーブル接続部７と、ＵＳＢケーブル８と、ＬＥＤ照明装置５０と、を備える。
【００１７】
図２に示すように、固定台座２は、細長の平板状に形成される。固定台座２の上面における長手方向の両側のそれぞれには、ソケット保持部２１ａ，２１ｂが立設される。ソケット保持部２１ａ，２１ｂは、何れも、平面視略Ｕ字状に形成されており、開口側が長手方向の外側を向いている。
【００１８】
長手方向一側のソケット保持部２１ａに電気ソケット２５が固定され、長手方向他側に位置するソケット保持部２１ｂにダミーソケット２６が固定される。電気ソケット２５は、いわゆる回転式ソケットホルダである。ダミーソケット２６は、電気的な接続を行うための構成を有しない回転式ソケットホルダである。
【００１９】
固定台座２の上面におけるソケット保持部２１ａの更に外側には、電子基板５を固定する基板固定部２２が形成される。電子基板５は、ビス等の締結部材２７によって基板固定部２２に固定される。電子基板５は、電源、スイッチに関する電子部品であり、スイッチ部６とＬＥＤ照明装置５０のそれぞれに電気的に接続される。
【００２０】
ソケット保持部２１ａの長手方向中央側には電源側カバー３を嵌合する一対の嵌合部２３が形成される。一対の嵌合部２３は、固定台座２の端部に短手方向で対向するように配置される。ソケット保持部２１ｂの長手方向中央側にも同様の一対の嵌合部２３が形成される。
【００２１】
固定台座２の底部には、複数の磁石３０が配置される。図５に示すように、固定台座2の底部には複数の凹部が形成されており、複数の凹部のうちの２箇所に磁石３０が入り込む形で固定台座２に固定されている。
【００２２】
電源側カバー３は、内側に中空部を有しており、嵌合部２３を介して固定台座２に固定される。電源側カバー３の内側に、ソケット保持部２１ａ、電気ソケット２５及び電子基板５が収容される。電源側カバー３によってソケット保持部２１ａ、電気ソケット２５及び電子基板５は外側から見えない状態となる。
【００２３】
ダミー側カバー４は、内側に中空部を有しており、嵌合部２３を介して固定台座２に固定される。電源側カバー３の内側に、ソケット保持部２１ｂ及びダミーソケット２６が収容される。ダミー側カバー４によってソケット保持部２１ｂ及びダミーソケット２６は外側から見えない状態となる。
【００２４】
スイッチ部６及びケーブル接続部７は電源側カバー３に配置される。スイッチ部６は電源側カバー３の外側からユーザが電源の入切りを操作できるように電源側カバー３に埋設される。ケーブル接続部７も、電源側カバー３の外側からＵＳＢケーブル８の着脱を行うことができるように電源側カバー３に埋設される。スイッチ部６の操作によって、ＰＣやアダプタ等の電源（図示省略）に接続されたＵＳＢケーブル８を介して電気がＬＥＤ照明装置５０に供給される。
【００２５】
ＬＥＤ照明装置５０は、虫を誘引する誘引光を照射可能な照明器具である。ＬＥＤ照明装置５０の構成について説明する。ＬＥＤ照明装置５０は、保持体５１と、複数のＬＥＤ基板６０と、コネクタ側カバー８０と、ダミー側カバー９０と、を備える。
【００２６】
図６に示すように、保持体５１は中実の略三角柱状に形成されている。保持体５１の側面には、ＬＥＤ基板６０を保持する３個の保持面７１が形成される。隣り合う保持面７１は略ハの字状の位置関係となる。なお、略ハの字（inverted Ｖ shape）は、Ｖ字状（Ｖ shape）の位置関係を含むものとする。
【００２７】
各保持面７１の短手方向両端には押さえ片７２が形成され、ＬＥＤ基板６０を嵌合可能となっている。製造工程においては、ＬＥＤ基板６０は、保持体５１に対してスライド嵌合によって固定される。本実施形態では、３個の保持面７１のうち、２個の保持面７１にＬＥＤ基板６０が嵌合固定される。従って、保持体５１に２枚のＬＥＤ基板６０が保持されることになる。
【００２８】
ＬＥＤ基板６０は、全体の外形が細長の板状に形成される基板部６１と、基板部６１の板面（上面）６７に長手方向に間隔をあけて複数配列されるＬＥＤ素子６５，６６と、を備える。
【００２９】
ＬＥＤ素子６５，６６は、虫を誘引する光を出射する。ＬＥＤ素子６５は波長４０５ｎｍの波長を多く含む紫外光を虫の誘引光として照射し、ＬＥＤ素子６６は波長３６５ｎｍの波長を多く含む紫外光を虫の誘引光として照射する。このように、本実施形態では、複数の波長帯を組み合わせて虫の誘引光を照射できる構成となっている。なお、複数のＬＥＤ素子を一種類の波長帯のみで構成することも可能である。ＬＥＤ素子は、光学フィルタ等を用いてもよく、ＬＥＤ素子が発する光によって虫が誘引される構成であればよい。
【００３０】
コネクタ側カバー８０は、アノードピン８１とカソードピン８２を有する電気接続部である。コネクタ側カバー８０の端面には切欠き部８５が形成される。切欠き部８５には、保持体５１の長手方向でネジ等の締結部材８６が締結されている。締結部材８６によって保持体５１に対してコネクタ側カバー８０が固定される。コネクタ側カバー８０のアノードピン８１とカソードピン８２が電気ソケット２５に接続されることにより、電力がＬＥＤ照明装置５０に供給される。
【００３１】
ダミー側カバー９０は、樹脂製又は金属製のダミーピン９１を有する接続部である。ダミー側カバー９０の端面には切欠き部９５が形成される。切欠き部９５には、保持体５１の長手方向でネジ等の締結部材９６が締結されている。締結部材９６によって保持体５１に対してダミー側カバー９０が固定される。ダミー側カバー９０のダミーピン９１がダミーソケット２６に係合されることにより、ＬＥＤ照明装置５０は両持ち支持された状態となる。
【００３２】
以上、ＬＥＤ照明ユニット１に用いられるＬＥＤ照明装置５０について説明した。次に、図８及び図９を参照してＬＥＤ照明装置５０よりも長手方向の長さが長い長尺タイプのＬＥＤ照明装置１５０及びＬＥＤ照明装置１５０が適用されるＬＥＤ照明ユニット１０１について説明する。図８は、第２の実施形態のＬＥＤ照明装置１５０が適用されるＬＥＤ照明ユニット１０１の平面図である。図９は、第２の実施形態のＬＥＤ照明ユニット１０１の分解斜視図である。なお、上記実施形態で説明した構成と共通又は同様の構成については同じ符号を付して詳細な説明を省略する場合がある。
【００３３】
図８及び図９に示すように、ＬＥＤ照明装置１５０、固定台座１０２、電子基板１０５に関する構成以外は、上記実施形態と同様の構成である。ＬＥＤ照明装置１５０は、保持体１５１の長さが長くなっている。ＬＥＤ基板１６０も長くなっており、ＬＥＤ素子６５，６６の配置数も多くなっている。ＬＥＤ素子６５，６６の配列の仕方は適宜変更できる。ＬＥＤ素子６５とＬＥＤ素子６６を交互に配置してもよいし、ＬＥＤ素子６５とＬＥＤ素子６６のグループごとに配置してもよいし、ランダムに配置してもよい。なお、ＬＥＤ照明装置１５０に電力を供給する電源関係の構成、電子基板１０５にはアダプタ付ＵＳＢ（図示省略）を接続できる構成となっている。そして、スイッチ部６は有しておらず、外部の電源によってオンオフを切り替える構成となっている。その他の構成はＬＥＤ照明ユニット１と略同様である。
【００３４】
ＬＥＤ照明ユニット１，１０１は、何れも、底面に磁石３０を有しており、金属製の部材に対して固定可能となっている。虫を誘引したい場所にＬＥＤ照明ユニット１，１０１を配置することで、虫の捕獲を容易に行うことができる。例えば、金属製のケースと、該ケースの内側に粘着シートと、ケースの内側で粘着シートに対向する位置にＬＥＤ照明ユニット１，１０１を磁力によって固定して捕虫器として使用できる。
【００３５】
以上説明したように、上記実施形態のＬＥＤ照明装置５０，１５０は、虫を誘引する光を発するＬＥＤ素子６５，６６を有する複数のＬＥＤ基板６０，１６０と、複数のＬＥＤ基板６０，１６０を保持する保持体５１，１５１と、を備え、保持体５１，１５１は、少なくとも２枚のＬＥＤ基板６０，１６０の板面６７がハの字状に並ぶように複数のＬＥＤ基板６０，１６０を保持可能に構成される。これにより、ＬＥＤ素子６５，６６を用いて複雑な構造とすることなく、照射範囲が広く種々の形状に対応できる光源を実現できる。
【００３６】
また、本実施形態では、保持体５１，１５１は、三角柱状の金属によって構成される。
これにより、保持体５１，１５１を介してＬＥＤ基板６０，１６０で生じた熱を外部に放熱できるとともに、放熱効果によって虫を誘引することができる。
【００３７】
また、本実施形態では、ＬＥＤ照明装置５０，１５０は、保持体５１，１５１の長手方向一側に配置され、電気ソケット２５に接続される電気接続部としてのコネクタ側カバー８０と、保持体５１，１５１の長手方向他側に配置され、保持ソケットに接続される保持接続部としてのダミー側カバー９０と、を備える。これにより、ＬＥＤ照明装置５０，１５０が使用される対象の電気配線の取り回しを簡素化しつつ、両持ち支持によってＬＥＤ照明装置５０，１５０の保持を確実なものとすることができる。
【００３８】
また、本実施形態の保持体５１，１５１は、少なくとも３枚のＬＥＤ基板６０，１６０の板面６７が略三角形状を形成するように、複数のＬＥＤ基板６０，１６０を保持可能に構成される。上記実施形態のＬＥＤ照明ユニット１，１０１では、２枚のＬＥＤ基板６０，１６０によって照射範囲を確保する構成であったが、使用する用途や場所によっては照射範囲を３６０度にしたい場合もある。このような場合であっても、本実施形態のＬＥＤ照明装置５０，１５０であれば、３個目の保持面７１を利用して３枚のＬＥＤ基板６０，１６０を持つ構成に容易に変更できる。
【００３９】
次に、ＬＥＤ照明装置５０を捕虫器２００の光源として用いる場合について説明する。図１０は、本発明の一実施形態に係る捕虫器２００の斜視図である。図１１は、本実施形態の捕虫器２００の分解斜視図である。図１２は、本実施形態の捕虫器２００の平面図である。図１３は、本実施形態の捕虫器２００の正面図である。図１４は、図１３のＢ−Ｂ線断面図である。
【００４０】
図１０から図１４に示すように、捕虫器２００は、ケース２１０と、捕虫シート２２０と、電子基板２０５と、スイッチ部６と、遮蔽部材２３０と、誘引剤収容部２５０と、ＬＥＤ照明装置５０と、を備える。
【００４１】
ケース２１０は、本体部２１１と、蓋部２１２と、組み合せて構成される。ケース２１０は、本体部２１１と蓋部２１２を組み合わせた状態で複数の開口部２１５，２１６，２１７を有する。開口部２１５はケース２１０の上面に位置し、開口部２１６はケース２１０の正面下部に位置し、開口部２１７はケース２１０の一側の側面に位置する。
【００４２】
本体部２１１には、捕虫シート２２０をセットするシートセット部２２１が形成される。シートセット部２２１の両側のそれぞれには、捕虫シート２２０の端部を差し込む押さえ部２２２が形成される。押さえ部２２２は、捕虫シート２２０を差し込む溝が形成される。また、本体部２１１におけるシートセット部２２１には、捕虫器２００を壁等に固定するための鍵穴状の係合部２２３が２箇所形成される。
【００４３】
蓋部２１２には、電気ソケット２５とダミーソケット２６が固定される。電気ソケット２５は、電子基板２０５に電気的に接続される。ダミーソケット２６は、電気的にはＬＥＤ照明装置５０に接続されずに、ＬＥＤ照明装置５０の端部を保持する保持接続部として機能する。電気ソケット２５とダミーソケット２６によってＬＥＤ照明装置５０が両持ち支持される。
【００４４】
捕虫シート２２０は、粘着面を有する交換可能な粘着シートである。本実施形態では、蛍光色の粘着シートが適用される。捕虫シート２２０は、シートセット部２２１の押さえ部に上から挿入される。捕虫シート２２０は、シートセット部２２１（ケース２１０）にセットされた状態では、曲げられた状態となる。
【００４５】
電子基板２０５は、電源に関する電子部品であり、ＵＳＢ接続部２０６を有する。電子基板２０５は、ビス等の締結部材２７によって蓋部２１２に固定されている。スイッチ部６は、電子基板２０５に電気的に接続される。スイッチ部６は、ケース２１０の他側の側面に位置する。
【００４６】
遮蔽部材２３０は、ケース２１０の内側に配置される。遮蔽部材２３０は、電子基板２０５、スイッチ部６等の電気的な構成が配置される空間と、捕虫シート２２０が配置される空間と、を仕切りとして機能する。
【００４７】
誘引剤収容部２５０は、誘引本体部２５１と、誘引蓋部２５２と、を備える。本実施形態では、誘引本体部２５１と誘引蓋部２５２が組み合わされることにより、誘引剤、芳香剤又はその両方を収容可能な箱体が形成される。誘引本体部２５１及び誘引蓋部２５２のそれぞれには複数の孔が形成されており、誘引剤収容部２５０の外側に誘引剤、芳香剤又はその両方の成分を外部に漏出することが可能になっている。本実施形態では、誘引剤収容部２５０は、ケース２１０の開口部２１６から外側を臨むようにケース２１０の内側に配置される。
【００４８】
ＬＥＤ照明装置５０は、上述した第１の実施形態と同様の構成である。図１４に示すように、ＬＥＤ照明装置５０は、２枚のＬＥＤ基板６０によって形成されるハの字の先端部分が捕虫シート２２０の平面に対向するように、ケース２１０の内側に配置される。また、誘引剤収容部２５０の上方に位置する。
【００４９】
以上説明したように、捕虫器２００は、ＬＥＤ照明装置５０と、ＬＥＤ照明装置５０を収容するケース２１０と、ケース２１０に配置され、ケース２１０に配置され、ＬＥＤ照明装置５０に対向する捕虫シート２２０と、を備える。これにより、ＬＥＤ照明装置５０によってケース２１０内から広範囲に虫の誘引光を照射し、捕虫シート２２０の反射光を利用しつつ、開口部２１５，２１６，２１７から外部に誘引光を漏出させることができるので、高い捕虫効果を実現できる。
【００５０】
また、本実施形態の捕虫器２００は、ケース２１０に配置され、誘引剤、芳香剤又はその両方を収容可能な誘引剤収容部２５０を更に備える。これにより、誘引剤のみを用いる場合は誘引剤を用いて虫をより効果的に捕虫することができる。また、芳香剤のみを用いる場合は捕虫器を部屋に置いたときの芳香によって使用者のストレスを軽減できる。更に、誘引剤及び芳香剤の両方を用いる場合は、両者の効果を組み合わせて奏することができる。
【００５１】
以上、本発明の好ましい実施形態について説明したが、本発明は、上述の実施形態に制限されるものではなく、適宜変更が可能である。例えば、特開２０１７−５５６９６や特開２０１８−６１５０８に示すような所定方向に長い捕虫器に対してＬＥＤ照明装置５０，１５０の長手方向を縦に向けて配置し、誘引光の光源とすることもできる。このような場合において、ＬＥＤ照明装置５０，１５０を複数（例えば２個）所定方向に並べることもできる。
【符号の説明】
【００５２】
５０，１５０  ＬＥＤ照明装置
５１，１５１  保持体
６０，１６０  ＬＥＤ基板
６５，６６  ＬＥＤ素子
６７  板面
８０  コネクタ側カバー（電気接続部）
９０  ダミー側カバー（保持接続部）
２００  捕虫器
２１０  ケース
２２０  捕虫シート
２５０  誘引剤収容部
【図１】
2020074721.tif 000003
【図２】
2020074721.tif 000004
【図３】
2020074721.tif 000005
【図４】
2020074721.tif 000006
【図５】
2020074721.tif 000007
【図６】
2020074721.tif 000008
【図７】
2020074721.tif 000009
【図８】
2020074721.tif 000010
【図９】
2020074721.tif 000011
【図１０】
2020074721.tif 000012
【図１１】
2020074721.tif 000013
【図１２】
2020074721.tif 000014
【図１３】
2020074721.tif 000015
【図１４】
2020074721.tif 000016